(57)【特許請求の範囲】
【請求項１】
複数の制御対象機器の状態情報に基づいて、前記複数の制御対象機器が接続された電力系統についての系統画面をディスプレイに表示させる系統表示処理部と、
前記複数の制御対象機器の状態情報に基づいて、各前記制御対象機器の制御操作の可否を判定するインターロック判定部とを備え、
前記インターロック判定部は、前記系統画面上で前記制御対象機器を指定する指定操作を受け付けたときに、当該指定された制御対象機器の制御操作の可否の判定を実行し、
前記インターロック判定部の判定結果を前記ディスプレイに表示させる結果表示処理部をさらに備え、
前記結果表示処理部は、前記判定結果が表示された状態で第１の操作を受け付けた場合に、前記指定された制御対象機器の制御操作の可否の判定に用いられたインターロック条件を含む条件画面を前記ディスプレイに表示させ、
前記制御対象機器の制御操作を実行するための制御操作画面を前記ディスプレイに表示させる操作表示処理部をさらに備え、
前記操作表示処理部は、
前記結果表示処理部により前記制御操作が可能であることを示す前記判定結果が表示された状態で第２の操作を受け付けた場合に、前記制御操作画面を表示させ、
前記結果表示処理部により前記制御操作が不可であることを示す前記判定結果が表示された状態で前記第２の操作を受け付けた場合、前記制御操作画面を表示しない、監視制御装置。
【請求項２】
前記指定操作は、前記系統画面上において、前記指定された制御対象機器を示す第１のオブジェクトにユーザの操作位置を示す第２のオブジェクトを重畳させる操作を含む、請求項１に記載の監視制御装置。
【請求項３】
前記結果表示処理部は、前記指定された制御対象機器の制御操作が不可であることを示す前記判定結果が表示された状態で前記第１の操作を受け付けた場合に、前記条件画面を表示させる、請求項１または請求項２に記載の監視制御装置。
【請求項４】
前記監視制御装置は、動作モードとして、通常制御モードと緊急制御モードとを含み、
前記結果表示処理部は、前記動作モードが前記緊急制御モードである場合、前記条件画面に含まれる複数のインターロック条件の各々について、当該インターロック条件を無効にする操作を受け付ける第３のオブジェクトをさらに表示させ、
前記インターロック判定部は、前記第３のオブジェクトに対する選択操作を受け付けた場合、当該選択された前記第３のオブジェクトに対応するインターロック条件以外の残余のインターロック条件を用いて、前記指定された制御対象機器の制御操作の可否を判定する、請求項１〜請求項３のいずれか１項に記載の監視制御装置。
【発明の詳細な説明】
【技術分野】
【０００１】
本開示は、電力系統における監視制御対象機器の監視および制御を行なうための監視制御装置に関する。
【背景技術】
【０００２】
従来、監視制御装置（システム）が複数の監視制御対象機器を制御する場合、監視制御対象機器ごとに設定されたインターロック条件（当該監視制御対象機器と関連する他の監視制御対象機器、アラームなどの状態の組合せ）の判定を行ない、判定結果が「制御操作不可」の場合には、その制御をブロックする。
【０００３】
インターロックに関する技術として、特開２００１−１４２５２７号公報（特許文献１）は、監視制御システムを開示している。この監視制御システムでは、オペレータが監視制御対象機器に対する一連の操作を実施した後、当該監視制御対象機器を制御するための制御操作指令を出力しようとしたときに初めてインターロックの判定が行われ、その結果が表示される。
【０００４】
また、特開２００８−１２３４２７号公報（特許文献２）に係る監視制御システムの表示方式では、制御操作と独立して事前にインターロック判定が行われ、制御操作時に事前に監視制御対象機器が表示される表示画面上にインターロック判定の結果が表示される。
【先行技術文献】
【特許文献】
【０００５】
【特許文献１】特開２００１−１４２５２７号公報
【特許文献２】特開２００８−１２３４２７号公報
【発明の概要】
【発明が解決しようとする課題】
【０００６】
しかしながら、特許文献１に係る技術によると、オペレータが監視制御対象機器に対する制御操作を行なったときに初めてインターロックの判定が実行されるため、インターロックの判定結果が「制御操作不可」である場合には、オペレータは不必要な無駄な制御操作を行なっていたことになる。
【０００７】
また、特許文献２に係る技術によると、制御操作とは独立して、定期的あるいは入力情報に変化があったときにインターロック判定を実行することで、「制御操作不可」の機器に対して制御操作を実行するという無駄な操作をしなくて済むようにしている。しかしながら、電力系統に多くの監視制御対象機器が設けられている場合、あるいは監視制御対象機器の状態変化が多発した場合等には、監視制御システムの処理負荷が増大してしまうという課題があった。
【０００８】
本開示は、上記のような課題に鑑みてなされたものであって、ある局面における目的は、ユーザが無駄な制御操作をしなくて済むようにするとともに、処理負荷を軽減することが可能な監視制御装置を提供することである。
【課題を解決するための手段】
【０００９】
ある実施の形態に従う監視制御装置は、複数の制御対象機器の状態情報に基づいて、複数の制御対象機器が接続された電力系統についての系統画面をディスプレイに表示させる系統表示処理部と、複数の制御対象機器の状態情報に基づいて、各制御対象機器の制御操作の可否を判定するインターロック判定部とを備える。インターロック判定部は、系統画面上で制御対象機器を指定する指定操作を受け付けたときに、当該指定された制御対象機器の制御操作の可否の判定を実行する。監視制御装置は、インターロック判定部の判定結果をディスプレイに表示させる結果表示処理部をさらに備える。結果表示処理部は、判定結果が表示された状態で第１の操作を受け付けた場合に、指定された制御対象機器の制御操作の可否の判定に用いられたインターロック条件を含む条件画面をディスプレイに表示させる。
【発明の効果】
【００１０】
本開示によると、ユーザが無駄な制御操作をしなくて済むようにするとともに、処理負荷を軽減することが可能となる。
【図面の簡単な説明】
【００１１】
【図１】監視制御装置を含むシステム構成例を示す図である。
【図２】監視制御装置のハードウェア構成の一例を示すブロック図である。
【図３】第１の局面における系統画面の一例を示す図である。
【図４】第１の局面の後の第２の局面における系統画面の一例を示す図である。
【図５】第２の局面の後の第３の局面における系統画面の一例を示す図である。
【図６】第３の局面の後の第４の局面における系統画面の一例を示す図である。
【図７】緊急制御モード時における条件画面を説明するための図である。
【図８】図７の局面の後の局面を示す図である。
【図９】監視制御装置の機能構成を示す模式図である。
【図１０】監視制御装置の処理手順の一例を示す図である。
【発明を実施するための形態】
【００１２】
以下、図面を参照しつつ、本実施の形態について説明する。なお、同一または相当する部分に同一の参照符号を付し、その説明を繰返さない場合がある。
【００１３】
＜システム構成＞
図１は、監視制御装置１００を含むシステム構成例を示す図である。図１を参照して、監視制御装置１００は、電力系統制御などの比較的大規模な装置または設備の監視制御に適用される。典型的には、監視制御装置１００は、監視制御対象機器（以下、単に「制御対象機器」とも称する。）の状態に関する信号である状態情報を受信するとともに、監視制御装置１００へのユーザ（系統運用者）からの操作に基づく信号である操作信号を受信して、当該操作信号に基づいて制御対象機器を制御する。
【００１４】
具体的には、監視制御装置１００は、電力系統に設けられた各種の制御対象機器２Ａ，２Ｂ，・・・２Ｎ（以下、「制御対象機器２」とも総称する。）の監視および制御を行なう。制御対象機器２は、例えば、発電プラント等の各種プラント、電気所、変電所等を含む電力系統に設けられた遮断器、断路器、接地機器、バルブ、スイッチ等である。
【００１５】
監視制御装置１００は、ネットワーク４を介して、制御対象機器２と通信可能に構成されており、制御対象機器２の状態情報を収集し、当該状態情報を内部メモリ等に格納する。なお、ネットワーク４としては、例えば、広域に張り巡らされた広域ＩＰ（Internet Protocol）網が採用される。
【００１６】
監視制御装置１００は、制御対象機器２を監視および制御に用いられる各種画面を生成してディスプレイに表示する。具体的には、監視制御装置１００は、制御対象機器２の状態情報に基づいて、電力系統の系統画面、インターロックの条件画面、インターロックの判定結果画面等を生成してディスプレイに表示する。監視制御装置１００では、各種画面情報に基づく監視制御画面がユーザに提供され、当該ユーザは制御対象機器２の運転状態などを確認できる。なお、監視制御装置１００における各種画面の表示方式の詳細については後述する。
【００１７】
ユーザ（系統運用者）は、監視制御画面を確認しながらキーボードまたはマウスなどを用いて監視制御装置１００に対して操作入力を行なう。監視制御装置１００は、当該操作入力に従って各種の処理を実行する。監視制御装置１００は、例えば、制御対象機器２に対する制御操作を受け付けて、制御操作に応じた制御操作信号を制御対象機器２に出力する。
【００１８】
＜ハードウェア構成＞
図２は、監視制御装置１００のハードウェア構成の一例を示すブロック図である。図２を参照して、監視制御装置１００は、そのコンポーネントとして、プロセッサ１５０と、主記憶装置１５２と、二次記憶装置１５４と、通信インターフェイス（Ｉ／Ｆ：Interface）１５６と、ディスプレイ１５８と、入力装置１６０と、スピーカ１６２と、汎用インターフェイス（Ｉ／Ｆ：Interface）１６４とを含む。これらのコンポーネントは、内部バス１６６を介して互いに通信可能に接続されている。
【００１９】
プロセッサ１５０は、典型的には、ＣＰＵ（Central Processing Unit）あるいはＭＰＵ（Multi Processing Unit）といった演算処理部であり、二次記憶装置１５４にインストールされているＯＳを含む各種プログラムを読出して、主記憶装置１５２に展開しつつ実行する。
【００２０】
主記憶装置１５２は、典型的には、ＤＲＡＭ（Dynamic Random Access Memory）などの揮発性記憶媒体であり、プロセッサ１５０によって実行されるＯＳを含む各種プログラムのコードの他、各種プログラムの実行に必要な各種ワークデータを保持する。二次記憶装置１５４は、ハードディスクあるいはＳＳＤ（Solid State Drive）などの不揮発性記憶媒体であり、ＯＳを含む各種プログラムの他、各種設定値などを保持する。
【００２１】
通信インターフェイス１５６は、各装置との通信に係る処理を実行する。典型的には、通信インターフェイス１５６は、監視制御装置１００がネットワーク４を経由して制御対象機器２と通信するためのインターフェイスである。
【００２２】
ディスプレイ１５８は、プロセッサ１５０に指示に従って各種情報を表示する。入力装置１６０は、典型的には、キーボードやマウスなどから構成され、ユーザからの各種設定および操作を受付ける。なお、入力装置１６０は、タッチパネルで構成されていてもよい。スピーカ１６２は、プロセッサ１５０から与えられる音声信号を音声に変換して監視制御装置１００の外部へ出力する。
【００２３】
汎用インターフェイス１６４は、典型的には、ＵＳＢ（Universal Serial Bus）インターフェイス、ＲＳ−２３２Ｃに従うシリアル通信インターフェイス、パラレル通信インターフェイスなどを含み、外部装置などとの間でデータを遣り取りする。
【００２４】
＜監視制御画面の表示方式＞
（通常制御モード）
監視制御装置１００は、制御対象機器２を監視制御するための動作モードとして、通常制御モードと、緊急制御モードとを有している。はじめに、監視制御装置１００が通常制御モードに設定されている場合の監視制御画面の表示方式を説明する。
【００２５】
図３〜図６は、通常制御モード時の監視制御画面の表示方式を示す図である。監視制御画面は、制御対象機器２を監視制御するためにユーザに提供される系統画面、インターロックの判定結果画面、インターロックの条件画面、制御操作画面等を含む。
【００２６】
具体的には、図３は、第１の局面における系統画面の一例を示す図である。図４は、第１の局面の後の第２の局面における系統画面の一例を示す図である。図５は、第２の局面の後の第３の局面における系統画面の一例を示す図である。図６は、第３の局面の後の第４の局面における系統画面の一例を示す図である。
【００２７】
図３を参照して、系統画面３００には、各制御対象機器２の各々をシンボル化した機器オブジェクト１１〜１３，２１〜２３と、発電機をシンボル化した発電機オブジェクト３１と、これらの機器および発電機を互いに接続するための電線ならびに母線をそれぞれシンボル化した電線オブジェクト４１〜４３と、母線オブジェクト６１，６２とが表示される。例えば、機器オブジェクト１１〜１３は遮断器を示しており、機器オブジェクト２１〜２３は断路器を示している。遮断器、断路器を示す機器オブジェクトは、それぞれ四角、丸で表現され、発電機を示す発電機オブジェクト３１は二重丸で表現される。
【００２８】
また、系統画面３００には、各機器を特定するためのラベル（例えば、「ＣＢ１」，「ＬＳ１」等）が機器オブジェクト１１〜１３，２１〜２３に隣接して表示される。さらに、系統画面３００には、系統画面３００上での操作位置を示すためのポインタ５０が表示される。
【００２９】
系統画面３００では、各制御対象機器２の開閉状態に応じて、対応する各機器オブジェクトの色を異ならせるように構成されている。例えば、制御対象機器２が開状態のときには対応する機器オブジェクトの色は黒（例えば、機器オブジェクト２３）で表現され、制御対象機器２が閉状態のときには機器オブジェクトの色は白（例えば、機器オブジェクト１１〜１３，２１，２２）で表現される。なお、系統画面３００は、その他の表示方式により、制御対象機器２の開閉状態を判別可能なように構成されていてもよい。例えば、開閉状態に応じて、機器オブジェクトのサイズを変更したり、開閉状態を示す文言を機器オブジェクトに隣接して表示したりしてもよい。
【００３０】
次に、図４を参照して、図３の状態からユーザが入力装置１６０（例えば、マウス）を操作して、ポインタ５０を機器オブジェクト２１に重畳させると、インターロックの判定結果画面３１０が系統画面３００上に表示される。具体的には、監視制御装置１００は、ポインタ５０の位置が機器オブジェクト２１の位置に重畳するような操作入力を受け付けた場合、機器オブジェクト２１に対応する制御対象機器２の制御操作の可否の判定を実行する。詳細には、機器オブジェクト２１に対応する制御対象機器２は「閉状態」であるため、監視制御装置１００は、二次記憶装置１５４等に記憶しているインターロック条件に基づいて、当該制御対象機器２を「開状態」にするための制御操作の可否を判定する。
【００３１】
図４の例では、当該制御対象機器２の制御操作は不可（禁止）であるとの判定がなされ、当該判定結果を示す判定結果画面３１０が表示される。なお、当該制御対象機器２の制御操作は可（許可）であるとの判定がなされた場合には、その旨を示す判定結果画面３１０が表示される。これにより、ユーザは、所望の制御対象機器２への制御操作を実行する前に、当該制御操作の可否を把握することができる。
【００３２】
続いて、図５を参照して、図４に示すように判定結果画面３１０が表示された状態（例えば、ポインタ５０が機器オブジェクト２１に重畳している状態）でユーザから特定の操作Ａ（例えば、右クリック操作）の入力を受け付けると、ラベル「ＬＳ１」（機器オブジェクト２１）に対応する制御対象機器２について予め定義されたインターロック条件を含む条件画面３２０が系統画面３００上に表示される。以下では、説明の容易化のため、ラベル「ＬＳ１」（機器オブジェクト２１）に対応する制御対象機器２を「制御対象機器Ｘ」とも称することがある。
【００３３】
条件画面３２０は、制御対象機器Ｘの開閉状態（図５の例では「閉状態」）を示す状態欄３２２と、判定結果を示す結果欄３２４と、当該制御対象機器２の制御操作の可否の判定に用いられたインターロック条件を示す条件欄３２６とを含む。具体的には、条件欄３２６には、当該制御対象機器２を開状態にする制御操作（開操作）が許可されるための条件が示される。典型的には、条件欄３２６の条件（１）、条件（２）および条件（３）のいずれかが成立した場合には、インターロック条件が成立する。条件（１）は、ラベル「ＣＢ１」に対応する制御対象機器２が開状態である場合に成立する。条件（２）は、ラベル「ＣＢ２」およびラベル「ＣＢ３」に対応する各制御対象機器２が開状態である場合に成立する。条件（３）は、ラベル「ＣＢ２」に対応する制御対象機器２が開状態であり、ラベル「ＬＳ３」に対応する制御対象機器２が閉状態である場合に成立する。これにより、ユーザは、所望の制御対象機器２への制御操作が許可されるためには、まず、どの制御対象機器２に対してどのような制御操作を行なう必要があるのかを把握できる。
【００３４】
続いて、図６を参照して、監視制御装置１００は、条件画面３２０が表示された状態でユーザから特定の操作Ｂ（例えば、左クリック操作）の入力を受け付けた場合、制御対象機器Ｘに対して制御操作を実行するための制御操作画面３３０を系統画面３００上に表示する。なお、監視制御装置１００は、判定結果画面３１０が表示された状態でユーザから操作Ｂの入力を受け付けた場合、制御操作画面３３０を系統画面３００上に表示するように構成されていてもよい。
【００３５】
制御操作画面３３０は、制御操作信号の出力対象となる制御対象機器２（図６の例では、制御対象機器Ｘ）を示す欄３３２と、制御対象機器Ｘを閉状態にするための制御操作を受け付ける閉ボタン３３４と、制御対象機器Ｘを開状態にするための制御操作を受け付ける開ボタン３３６と、閉ボタン３３４または開ボタン３３６で受け付けた制御操作に応じた制御操作信号を制御対象機器Ｘに出力するための出力ボタン３３８とを含む。例えば、ユーザは、開ボタン３３６を選択（例えば、押下）した後に、出力ボタン３３８を選択することにより制御対象機器Ｘに開操作信号を出力することができる。
【００３６】
以上より、通常制御モード時におけるユーザの操作手順の一例としては、次のようになる。まず、ユーザは、系統画面３００を確認しながら、所望の制御対象機器２に対応する機器オブジェクトに重畳するようにポインタ５０を移動させる（図３，図４参照）。
【００３７】
ユーザは、系統画面３００上に表示された判定結果画面３１０を確認して判定結果が「制御可」の場合には、操作Ｂ（左クリック操作）を行なって制御操作画面３３０を表示させる（図６参照）。そして、ユーザは、制御操作画面３３０の閉ボタン３３４または開ボタン３３６を選択して、さらに出力ボタン３３８を選択することにより、所望の制御対象機器２に対して制御操作信号を出力することができる。
【００３８】
一方、ユーザは、判定結果画面３１０を確認して判定結果が「制御不可」の場合には、操作Ａ（右クリック操作）を行なって条件画面３２０を表示させる（図５参照）。ユーザは、条件画面３２０を確認して、どの制御対象機器２を開状態または閉状態にする必要があるのかを特定する。ユーザは、当該特定した制御対象機器２に対応する機器オブジェクトに重畳するようにポインタ５０を移動させ、上記操作を繰り返す。
【００３９】
（緊急制御モード）
ここでは、監視制御装置１００が緊急制御モードに設定されている場合の監視制御画面の表示方式について説明する。緊急制御モードは、例えば、何らかのトラブルにより特定の制御対象機器２についての状態情報を適切に取得できない緊急事態が発生している場合等に使用されるモードである。
【００４０】
図７および図８は、緊急制御モード時の系統画面の表示方式を示す図である。具体的には、図７は、緊急制御モード時における条件画面を説明するための図である。図８は、図７の局面の後の局面を示す図である。
【００４１】
監視制御装置１００は、上述の通常制御モードと同様に、系統画面３００において、ポインタ５０が機器オブジェクトに重畳する操作入力を受け付けると、当該機器オブジェクトに対応する制御対象機器２の制御操作の可否の判定を実行し、判定結果画面３１０を表示する（図３，図４参照）。
【００４２】
図７を参照して、監視制御装置１００は、図４に示すように判定結果画面３１０が表示された状態でユーザから操作Ａ（例えば、右クリック操作）の入力を受け付けると、インターロック条件を示す条件画面３２０Ａを系統画面３００上に表示する。系統画面３００には、緊急制御モード中であることを示すモード情報３５０が表示される。
【００４３】
条件画面３２０Ａは、図５に示す条件画面３２０における条件欄３２６を、条件欄３２６Ａに置き換えたものである。具体的には、条件欄３２６Ａは、条件欄３２６に複数のチェックボックスで構成されるチェックボックス群３２７を追加した構成である。各チェックボックスは、各インターロック条件に対応して（例えば、右側に）設けられており、対応するインターロック条件を無効にする操作を受け付けるためのオブジェクトである。
【００４４】
ここで、例えば、緊急事態が発生しておりラベル「ＣＢ３」の状態情報を適切に取得できていない（状態情報が誤っている、あるいは、状態情報を受信できない等）ことをユーザが把握している場面を想定する。この場合、図８に示すように、ユーザはラベル「ＣＢ３」についてのインターロック条件を無効にするため、ポインタ５０を移動させて、条件欄３２６Ａのラベル「ＣＢ３」の右側に配置されたチェックボックスを選択する。これにより、ラベル「ＣＢ３」に関するインターロック条件を無効にできるため、ラベル「ＣＢ２」に対応する制御対象機器２が開状態である場合には条件（２）は成立する。
【００４５】
ユーザが、上記チェックボックスの選択操作後に、系統画面３００において機器オブジェクト２１に重畳するようにポインタ５０を移動させると、監視制御装置１００は、ラベル「ＣＢ３」に関するインターロック条件を無視して、インターロック判定を実行し、当該判定結果画面３１０を表示する。
【００４６】
これにより、ユーザは、緊急制御モード中においては、例外的にインターロック条件の一部を無効にすることにより、緊急事態に適切に対処することができる。
【００４７】
＜機能構成＞
図９は、監視制御装置１００の機能構成を示す模式図である。図９を参照して、監視制御装置１００は、状態情報取得部２０１と、操作入力部２０５と、インターロック判定部２０７と、表示制御部２２０とを含む。これらの各機能は、例えば、プロセッサ１５０が二次記憶装置１５４に格納されたプログラムを実行することによって実現される。また、監視制御装置１００は、主記憶装置１５２および二次記憶装置１５４により実現される状態情報格納部２０３と、条件情報格納部２０９とをさらに含む。なお、これらの機能の一部または全部はハードウェアで実現されるように構成されていてもよい。
【００４８】
状態情報取得部２０１は、制御対象機器２Ａ〜２Ｎの各々から、当該制御対象機器２の各種状態を示す情報（状態情報）を取得する。状態情報取得部２０１は、取得した状態情報を状態情報格納部２０３に格納するとともに、表示制御部２２０（系統表示処理部２２２）に送出する。状態情報は、開閉状態を示す情報を少なくとも含み、制御対象機器２の種類情報、識別情報等を含んでいてもよい。
【００４９】
操作入力部２０５は、入力装置１６０を介して、ユーザからの各種操作入力を受け付ける。具体的には、操作入力部２０５は、ユーザによる制御操作入力、系統画面３００上での表示操作入力を受け付ける。
【００５０】
インターロック判定部２０７は、条件情報格納部２０９に格納されたインターロック条件と制御対象機器２の状態情報とに基づいて、制御対象機器２の制御操作の可否を判定する。具体的には、インターロック判定部２０７は、操作入力部２０５が系統画面３００上で制御対象機器２を指定する指定操作を受け付けたときに、当該指定された制御対象機器２についての制御操作の可否の判定を実行する。指定操作は、系統画面３００上において、制御対象機器２を示す機器オブジェクトにユーザの操作位置を示すポインタ５０を重畳させる操作を含む。インターロック判定部２０７は、インターロック判定結果と、当該判定に用いたインターロック条件とを表示制御部２２０（判定結果表示処理部２２４）に送出する。
【００５１】
モード設定部２１１は、監視制御装置１００の動作モードを通常制御モードまたは緊急制御モードに設定する。例えば、モード設定部２１１は、モード設定を行なうための専用入力装置（例えば、専用ボタン）からの操作信号を受け付けることにより、通常制御モードおよび緊急制御モードを切り替える。この場合、ユーザは、専用入力装置を操作することにより監視制御装置１００の動作モードを変更することができる。
【００５２】
表示制御部２２０は、各種情報およびユーザからの各種指示に基づいてディスプレイ１５８の表示を制御する。具体的には、表示制御部２２０は、系統表示処理部２２２と、判定結果表示処理部２２４と、制御操作表示処理部２２６とを含む。
【００５３】
系統表示処理部２２２は、制御対象機器２Ａ〜２Ｎの各状態情報に基づいて、制御対象機器２Ａ〜２Ｎが接続された電力系統全体をシンボル化した系統全体図（例えば、系統画面３００）を生成し、当該系統全体図をディスプレイ１５８に表示させる。具体的には、系統表示処理部２２２は、図３等に示すような各種オブジェクトをディスプレイ１５８に表示させるとともに、状態情報に応じて（開状態なのか、閉状態なのかに応じて）各種オブジェクトの表示態様（例えば、色）を変化させる。
【００５４】
判定結果表示処理部２２４は、インターロック判定結果（例えば、判定結果画面３１０）をディスプレイ１５８に表示させる。また、判定結果表示処理部２２４は、判定結果が表示された状態で、操作入力部２０５が特定の操作（例えば、操作Ａ）を受け付けた場合に、指定された制御対象機器２の制御操作の可否の判定に用いられたインターロック条件を含む条件画面３２０をディスプレイ１５８にさらに表示させる。詳細には、判定結果表示処理部２２４は、指定された制御対象機器２の制御操作が不可であることを示す判定結果が表示された状態で操作Ａを受け付けた場合に、条件画面３２０を表示させる。
【００５５】
判定結果表示処理部２２４は、モード設定部２１１により監視制御装置１００が緊急制御モードに設定されている場合、条件画面３２０に含まれる複数のインターロック条件の各々について、当該インターロック条件を無効にする操作を受け付けるためのオブジェクト（例えば、チェックボックス群３２７）をさらに表示させる。この場合、インターロック判定部２０７は、操作入力部２０５が当該オブジェクトに対する選択操作を受け付けた場合、当該選択されたオブジェクトに対応するインターロック条件以外の残余のインターロック条件を用いて、制御対象機器２の制御操作の可否を判定する。すなわち、インターロック判定部２０７は、当該選択されたオブジェクトに対応するインターロック条件を無視して、インターロック判定を実行する。
【００５６】
制御操作表示処理部２２６は、制御対象機器２の制御操作を実行するための制御操作画面３３０をディスプレイ１５８に表示させる。具体的には、制御操作表示処理部２２６は、判定結果表示処理部２２４により制御操作が可能であることを示す判定結果がディスプレイ１５８に表示された状態で、操作入力部２０５が特定の操作（例えば、操作Ｂ）を受け付けた場合に、制御操作画面３３０を表示させる。
【００５７】
＜処理手順＞
図１０は、監視制御装置１００の処理手順の一例を示す図である。ここでは、ユーザが、系統画面３００上に表示された機器オブジェクト（例えば、機器オブジェクト２１）に対応する制御対象機器２の制御操作（例えば、「開」操作）を実行するまでの流れについて説明する。典型的には、図１０に示す各ステップは、プロセッサ１５０により実行される。プロセッサ１５０は、通信インターフェイス１５６を介して、定期的に制御対象機器２の状態情報を取得しているものとする。
【００５８】
図１０を参照して、プロセッサ１５０は、制御対象機器２の状態情報に基づいて、電力系統全体図である系統画面３００をディスプレイ１５８に表示する（ステップＳ１０）。プロセッサ１５０は、入力装置１６０を介してユーザからの操作入力を受け付け、系統画面３００上においてポインタ５０が機器オブジェクト１１〜１３，２１〜２３のいずれかに重畳したか否かを判断する（ステップＳ１２）。
【００５９】
ポインタ５０が機器オブジェクトに重畳していない場合には（ステップＳ１２おいてＮＯ）、ステップＳ１２の処理を繰り返す。ポインタ５０がいずれかの機器オブジェクトに重畳している場合には（ステップＳ１２おいてＹＥＳ）、プロセッサ１５０は、機器オブジェクト２１に対応する制御対象機器２（制御対象機器Ｘ）を特定する（ステップＳ１４）。例えば、プロセッサ１５０は、二次記憶装置１５４に格納されている、機器オブジェクトに関連付けられた機器識別情報（機器ＩＤ、機器番号等）を参照することにより当該特定を行なう。
【００６０】
続いて、プロセッサ１５０は、制御対象機器Ｘに対して定義されたインターロック条件と、制御対象機器Ｘの制御操作の可否を判定するために必要な各制御対象機器２の状態情報とを読み出す（ステップＳ１６）。プロセッサ１５０は、読み出したインターロック条件と、各制御対象機器２の状態情報とに基づいて、制御対象機器Ｘの制御操作の可否を判定する（ステップＳ１８）。典型的には、プロセッサ１５０は、制御対象機器Ｘが開状態である場合には、制御対象機器Ｘを閉状態にするための制御操作（閉操作）の可否を判定し、制御対象機器Ｘが閉状態である場合には、制御対象機器Ｘを開状態にするための制御操作（開操作）の可否を判定する。
【００６１】
制御操作が「可」である場合には（ステップＳ１８においてＹＥＳ）、プロセッサ１５０は、制御操作が可能であることを示す判定結果画面３１０をディスプレイ１５８に表示する（ステップＳ２０）。続いて、プロセッサ１５０は、入力装置１６０を介して、ユーザから操作Ｂ（機器オブジェクト２１上での左クリック操作）を受け付けたか否かを判断する（ステップＳ２２）。操作Ｂを受け付けていない場合には（ステップＳ２２においてＮＯ）、プロセッサ１５０はステップＳ２２の処理を繰り返す。操作Ｂを受け付けた場合には（ステップＳ２２においてＹＥＳ）、プロセッサ１５０は、制御操作画面３３０をディスプレイ１５８に表示する（ステップＳ２４）。
【００６２】
続いて、プロセッサ１５０は、入力装置１６０を介して、制御操作の指示入力を受け付けたか否かを判断する（ステップＳ２６）。制御操作の指示入力を受け付けていない場合には（ステップＳ２６においてＮＯ）、プロセッサ１５０はステップＳ２６の処理を繰り返す。制御操作の指示入力を受け付けた場合には（ステップＳ２６においてＹＥＳ）、プロセッサ１５０は、制御操作に応じた制御操作信号を制御対象機器Ｘに対して出力して（ステップＳ２８）、ステップＳ１０からの処理を繰り返す。
【００６３】
一方、ステップＳ１８において、制御操作が「不可」である場合には（ステップＳ１８においてＮＯ）、プロセッサ１５０は、制御操作が不可能であることを示す判定結果画面３１０をディスプレイ１５８に表示する（ステップＳ３０）。続いて、プロセッサ１５０は、入力装置１６０を介して、ユーザから操作Ａ（機器オブジェクト２１上での右クリック操作）を受け付けたか否かを判断する（ステップＳ３２）。操作Ａを受け付けていない場合には（ステップＳ３２においてＮＯ）、プロセッサ１５０はステップＳ３２の処理を繰り返す。操作Ａを受け付けた場合には（ステップＳ３２においてＹＥＳ）、プロセッサ１５０は、インターロック条件を含む条件画面３２０をディスプレイ１５８に表示して（ステップＳ３４）、ステップＳ１０からの処理を繰り返す。
【００６４】
＜利点＞
本実施の形態によると、ユーザは、所望の制御対象機器への制御操作を実行する前に、当該制御操作の可否を把握することができる。また、制御操作が不可であった場合には、簡易な操作によりインターロック条件を表示できるため、ユーザは、所望の制御対象機器への制御操作が許可されるためには、まず、どの制御対象機器２に対してどのような制御操作を行なう必要があるのかを把握することができる。また、ユーザ所望の制御対象機器に対してのみインターロック判定が実行されるため、監視制御装置の処理負荷を軽減することもできる。
【００６５】
＜その他の実施の形態＞
（１）上述した実施の形態において、監視制御装置１００の構成（または機能）の一部を別体の装置によって担う構成であってもよい。
【００６６】
（２）上述した実施の形態では、図４〜図６に示すように、監視制御装置１００は、判定結果画面３１０と、条件画面３２０と、制御操作画面３３０とを系統画面３００上に表示する構成について説明したが、当該構成に限られない。例えば、監視制御装置１００は、判定結果画面３１０と、条件画面３２０と、制御操作画面３３０とを系統画面３００上に表示させずに、別ウィンドウ等のように独立して表示する構成であってもよい。
【００６７】
（３）上述した実施の形態では、監視制御装置１００は、基本的には、ユーザから操作Ｂの入力を受け付けた場合には、制御操作画面３３０を表示する構成について説明したが、当該構成に限られない。例えば、監視制御装置１００は、インターロック判定結果が「制御可」である判定結果画面３１０が表示された状態で（すなわち、当該制御対象機器２の制御操作は可であるとの判定がなされた場合）、ユーザから操作Ｂの入力を受け付けた場合にのみ、制御操作画面３３０を表示してもよい。
【００６８】
具体的には、監視制御装置１００は、インターロック判定結果が「制御不可」である判定結果画面３１０が表示された状態で、ユーザから操作Ｂの入力を受け付けた場合であっても、制御操作画面３３０を表示しないように構成されていてもよい。当該構成によると、インターロック判定結果が「制御不可」である場合には、ユーザが誤って操作Ｂを実行した場合であっても制御操作画面３３０が表示されないため、ユーザが無駄な制御操作を行なってしまう可能性を低減させることができる。
【００６９】
（４）上述の実施の形態として例示した構成は、本発明の構成の一例であり、別の公知の技術と組み合わせることも可能であるし、本発明の要旨を逸脱しない範囲で、一部を省略する等、変更して構成することも可能である。また、上述した実施の形態において、その他の実施の形態で説明した処理、構成を適宜採用して実施する場合であってもよい。
【００７０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７１】
２，２Ａ〜２Ｎ  制御対象機器、４  ネットワーク、１００  監視制御装置、１１，１３，２１，２２，２３  機器オブジェクト、３１  発電機オブジェクト、４１，４３  電線オブジェクト、５０  ポインタ、６１，６２  母線オブジェクト、１５０  プロセッサ、１５２  主記憶装置、１５４  二次記憶装置、１５６  通信インターフェイス、１５８  ディスプレイ、１６０  入力装置、１６２  スピーカ、１６４  汎用インターフェイス、１６６  内部バス、２０１  状態情報取得部、２０３  状態情報格納部、２０５  操作入力部、２０７  インターロック判定部、２０９  条件情報格納部、２１１  モード設定部、２２０  表示制御部、２２２  系統表示処理部、２２４  判定結果表示処理部、２２６  制御操作表示処理部、３００  系統画面、３１０  判定結果画面、３２０，３２０Ａ  条件画面、３３０  制御操作画面、３５０  モード情報。 
【図１】
0006747865.tif 000002
【図２】
0006747865.tif 000003
【図３】
0006747865.tif 000004
【図４】
0006747865.tif 000005
【図５】
0006747865.tif 000006
【図６】
0006747865.tif 000007
【図７】
0006747865.tif 000008
【図８】
0006747865.tif 000009
【図９】
0006747865.tif 000010
【図１０】
0006747865.tif 000011